(57)【特許請求の範囲】
【請求項１】
インテリジェントネットワーク（ＩＮ）、前記インテリジェントネットワーク（ＩＮ）に含まれるサービスデータ点（ＳＤＰ）、デジタル携帯電話ネットワーク（１）、前記インテリジェントネットワーク（ＩＮ）を前記携帯電話ネットワーク（１）に接続するための手段、および、前記携帯電話ネットワーク（１）に接続されるターミナル装置（ＴＥ）を有する電気通信システムにおける前記インテリジェントネットワークのサービスパラメータを変更するための方法であって、
前記サービスパラメータは、前記ターミナル装置（ＴＥ）によって、ショートメッセージ（ＳＭＳ）の形態でゲートウェイ（ＧＷ）に伝送され、
前記ショートメッセージは、前記ゲートウェイ（ＧＷ）において、前記インテリジェントネットワーク（ＩＮ）のサービスパラメータの形態に変換され、前記データ点（ＳＤＰ）に伝送されることを特徴とする方法。
【請求項２】
前記サービスデータ点（ＳＤＰ）から前記ゲートウェイ（ＧＷ）に対して、肯定応答メッセージが返送され、当該肯定応答メッセージは、ショートメッセージ（ＳＭＳ）の形態に変換され、前記ターミナル装置（ＴＥ）に送信されることを特徴とする請求項１に記載の方法。
【請求項３】
前記サービスデータ点（ＳＤＰ）において変更されるレコードは、前記ゲートウェイ（ＧＷ）において、前記ショートメッセージ（ＳＭＳ）の発呼者番号を使用して識別されることを特徴とする請求項１又は請求項２に記載の方法。
【請求項４】
前記サービスデータ点（ＳＤＰ）において変更されるレコードは、前記ゲートウェイ（ＧＷ）において、前記ショートメッセージ（ＳＭＳ）の内容を使用して識別されることを特徴とする請求項１〜３のいずれか１項に記載の方法。
【請求項５】
インテリジェントネットワーク（ＩＮ）、前記インテリジェントネットワーク（ＩＮ）に含まれるサービスデータ点（ＳＤＰ）、デジタル携帯電話ネットワーク（１）、前記インテリジェントネットワーク（ＩＮ）を前記携帯電話ネットワークに接続するための手段、および、前記携帯電話ネットワーク（１）に接続されるターミナル装置（ＴＥ）を有し、前記インテリジェントネットワークのサービスパラメータを変更するための電気通信システムであって、
当該システムは、
前記サービスパラメータを、ショートメッセージ（ＳＭＳ）の形態で、前記ターミナル装置（ＴＥ）からゲートウェイ（ＧＷ）に送信するための手段（１３）と、
前記ショートメッセージ（ＳＭＳ）を、前記ゲートウェイ（ＧＷ）において、前記インテリジェントネットワーク（ＩＮ）のサービスパラメータの形態に変換し、前記サービスデータ点（ＳＤＰ）に伝送するための手段（１４）と
を有することを特徴とするシステム。
【請求項６】
前記システムは、前記サービスデータ点（ＳＤＰ）から前記ゲートウェイ（ＧＷ）に肯定応答メッセージを返送する手段（１５）と、前記肯定応答メッセージを前記ゲートウェイ（ＧＷ）においてショートメッセージ（ＳＭＳ）の形態に変換し、当該テキストメッセージを前記ターミナル装置（ＴＥ）に送信する手段（１６）とを有することを特徴とする請求項５に記載のシステム。
【請求項７】
前記ゲートウェイ（ＧＷ）は、前記ショートメッセージ（ＳＭＳ）の発呼者番号を使用し、前記サービスデータ点（ＳＤＰ）において変更されるレコードを識別するための手段（１７）を有することを特徴とする請求項５又は請求項６に記載のシステム。
【請求項８】
前記ゲートウェイ（ＧＷ）は、前記ショートメッセージ（ＳＭＳ）の内容を使用し、前記サービスデータ点（ＳＤＰ）において変更されるレコードを識別するための手段（１８）を有することを特徴とする請求項５〜７のいずれか１項に記載のシステム。
【発明の詳細な説明】
【０００１】
本発明は、電気通信システムに関する。特に、本発明は、インテリジェントネットワークのサービスデータ又はサービスデータパラメータを、別の電気通信ネットワークを使用して、変更あるいは伝送するための方法およびシステムに関する。
【０００２】
有線又は無線電話ネットワークのオペレータによって提供されるオプションに関し、有線および携帯電話ネットワークの双方において利用可能なサービスは、現在、非常に多種多様である。これらのサービスは、例えば、継続（permanent）の又は遠隔制御のコール転送、コール待機（call waiting）、ナンバーディスプレイの抑制、加入者に対する請求書発行（billing）の予告、および、類似サービスを含むことが可能である。加入者にとっては、これらのサービスの使用はオプションである。すなわち、加入者は、各々のサービスを何時使用するかを決定できる。加えて、インテリジェントネットワークシステムは、いくつもの異なるパラメータを使用する。当該パラメータは、好ましくは、テレオペレータ又はサービスプロバイダによって如何なるアクションを要求されることなく、加入者によって直接的に変更される。これは、顧客サービスにおけるリソースの使用を必要とするだろう。
【０００３】
従来技術において、インテリジェントネットワークのサービスパラメータを、インターネットアクセスを経由して変更するシステムが、知られている。当該実施は、ユーザに対し、インターネットアクセスを利用できることを要求する。別の従来技術の解決案は、トーン周波数信号に基づくメニューサービスの使用である。この解決案の問題は、理解し難い（difficult）ユーザインタフェースを伴っており、また、使用において遅いことである。さらに、長い番号列（long number sequences）は、視覚化が難しい。インテリジェントネットワークアプリケーションにおいて使用されるＳＳＰセンタは、コール設定（call setup）の際を除いた通常コールの間、トーン周波数信号を識別できない。
【０００４】
ＣＡＭＥＬアーキテクチャは、ＵＳＳＤに基づくユーザインタフェースと関係している。ＣＡＭＥＬアーキテクチャ（ＣＡＭＥＬ，移動体ネットワークの機能強化ロジックのためのカスタマイズされたアプリケーション（CustomisedApplications for Mobile Network Enhanced Logic））は、国際ローミングシステムの下に、本国のオペレータ（home operator）の移動体通信ネットワークの外部に移動した加入者のために、オペレータ特定（specific）のインテリジェントネットワークのサービスを、提供するために使用される。ＵＳＳＤオペレーション（ＵＳＳＤ，非構造化補助サービスデータ（Unstructured Supplementary Service Data））は、移動局と電気通信ネットワークとの間において非構造化補助サービスデータを送信するために、使用することが可能である。ＣＡＭＥＬのアーキテクチャと連動して使用される、ＵＳＳＤに基づくユーザインタフェースは、移動体通信ネットワークのサービス制御点が、当該ＭＡＰインターフェース（ＭＡＰ，移動体アプリケーション部（Mobile Application Part））をサポートすることを要求する。
【０００５】
本発明の目的は、上述の欠点を除去あるいは少なくとも非常に削減することである。本発明の具体的な目的は、別の電気通信ネットワークに接続しているターミナル装置を使用して、ユーザがインテリジェントネットワークのサービスを制御することを可能にする新しいタイプの方法およびシステムを開示することである。
【０００６】
本発明に特有の特徴に関しては、特許請求の範囲が参照される。
【０００７】
本発明は、インテリジェントネットワーク、第２電気通信ネットワークおよびインテリジェントネットワークを第２電気通信ネットワークに接続するための手段を有する電気通信システムにおいて、インテリジェントネットワークのサービスデータ又はサービスパラメータを、変更および伝送するための方法に関する。前記インテリジェントネットワークは、サービス制御点およびサービスデータ点を有する。本発明の当該方法においては、第２電気通信ネットワークは、ゲートウェイを経由し、サービス制御点（ＳＣＰ）のサービスロジックおよび又はサービスデータ点（ＳＤＰ）に接続されている。サービスデータパラメータおよび又はインテリジェントネットワークのサービスロジックは、第２電気通信ネットワークによってサポートされるプロトコルを使用して、変更される。好ましい実施の形態においては、第２電気通信ネットワークにおいて使用される固定形式メッセージと、インテリジェントネットワークによってサポートされるメッセージとの間の変換は、ゲートウェイのテーブルを使用することによって実行される。
【０００８】
好ましい実施の形態においては、サービスデータパラメータおよび／又はサービスロジックは、ゲートウェイによって実行される書込みオペレーションを経由し、サービス制御点のサービスロジックおよび／又はサービスデータ点において変更される。本発明に係る第２電気通信ネットワークは、ＩＰに基づく（ＩＰ，インターネットプロトコル）ネットワーク、例えばインターネット、あるいはＧＳＭネットワーク（ＧＳＭ，移動体通信のグロ―バルシステム（Global System for Mobile Communications））等のデジタル移動体通信ネットワークである。
【０００９】
さらに本発明は、上述の電気通信システムにおける方法に関し、当該方法においては、第２電気通信ネットワークは、ゲートウェイを経由し、インテリジェントネットワークのサービス制御点のサービスロジックに接続されており、インテリジェントネットワークのサービスデータパラメータ又はサービスロジックは、第２電気通信ネットワークによってサポートされるプロトコルを使用して、変更される。当該方法の実施の形態においては、第２電気通信ネットワークにおいて使用される固定形式メッセージと、インテリジェントネットワークのサービス制御点によってサポートされるメッセージとの間の変換は、ゲートウェイのテーブルを使用することによって実行される。サービスデータパラメータおよび／又はサービスロジックは、好ましくは、ゲートウェイによって実行される書込みオペレーションを経由し、インテリジェントネットワークのサービス制御点のサービスロジックにおいて変更される。
【００１０】
また、本発明は、上述の電気通信システムにおいて、インテリジェントネットワークのサービスパラメータを変更するための方法に関する。本方法においては、サービスパラメータは、ターミナル装置を使用して、テキストメッセージの形態でゲートウェイに伝送され、テキストメッセージは、ゲートウェイにおいて、インテリジェントネットワークのサービスパラメータの形態に変換され、インテリジェントネットワークのデータ点に伝送される。本発明の実施の形態においては、インテリジェントネットワークのデータ点からゲートウェイに対して、肯定応答メッセージが返送され、当該肯定応答メッセージは、テキストメッセージの形態に変換され、ターミナル装置に送信される。インテリジェントネットワークのデータ点において変更されるレコードは、好ましくは、ゲートウェイにおいて、テキストメッセージ信号方式（signalling）において伝送される発呼者番号によって、識別される。別の実施の形態においては、インテリジェントネットワークのデータ点において変更されるレコードは、ゲートウェイにおいて、テキストメッセージの内容によって識別される。
【００１１】
別の実施の形態においては、情報は、ターミナル装置とゲートウェイとの間で、ショートメッセージの形態で伝送され、別の実施の形態においては、ＵＳＳＤ−ＭＡＰプロトコルを使用することによって、さらに別の実施の形態においては、ＷＡＰプロトコル（ＷＡＰ，無線アプリケーションプロトコル）を使用することによって、伝送される。ＧＳＭ携帯電話システムにおいては、ショートメッセージサービスは、たとえその時において、レシーバが連絡可能（reachable）でない場合であっても、移動局から別の移動局にテキストメッセージの伝送を許可する。ショートメッセージとして送信されるテキストメッセージは、最大の長さとして１６０キャラクタを有することが可能である。ＷＡＰプロトコルは、無線ネットワークのターミナル装置のためのサービスを提供するアプリケーションのための基準を定義する。ＷＡＰを使用することによって、例えば、電話によってインターネットサーバと接続することが可能である。
【００１２】
また、本発明は、インテリジェントネットワークのサービスデータ又はサービスパラメータを、変更および伝送するための電気通信システムに関し、当該システムは、インテリジェントネットワーク、第２電気通信ネットワークおよびインテリジェントネットワークを第２電気通信ネットワークに接続するための手段を有する。インテリジェントネットワークは、サービス制御点およびサービスデータ点を有する。本システムは、第２電気通信ネットワークを、サービス制御点のサービスロジックおよび又はインテリジェントネットワークのサービスデータ点に接続するためのゲートウェイと、サービスデータパラメータおよび又はインテリジェントネットワークのサービスロジックを、第２電気通信ネットワークによってサポートされるプロトコルを使用して、変更するための手段とを有する。別の実施の形態においては、ゲートウェイは、第２電気通信ネットワークによってサポートされる固定形式メッセージと、インテリジェントネットワークによってサポートされるメッセージとの間の変換を実行するためのテーブル手段を有する。ゲートウェイは、好ましくは、サービス制御点のサービスロジック又はインテリジェントネットワークのサービスデータ点において、書込みオペレーションを実行するための手段と、サービスデータパラメータおよび／又はサービスロジックを変更するための手段とを有する。本発明の当該システムにおける第２電気通信ネットワークは、好ましくは、例えば、ＩＰに基づくネットワーク又はデジタル携帯電話ネットワークである。
【００１３】
さらに本発明は、インテリジェントネットワークのサービス又はサービスロジックを変更するための電気通信システムに関し、当該システムは、インテリジェントネットワーク、第２電気通信ネットワークおよびインテリジェントネットワークを第２電気通信ネットワークに接続するための手段を有する。インテリジェントネットワークは、サービス制御点を有する。本システムは、第２電気通信ネットワークを、インテリジェントネットワークのサービス制御点のサービスロジックに接続するためのゲートウェイと、サービスデータパラメータおよび又はインテリジェントネットワークのサービスロジックを、第２電気通信ネットワークによってサポートされるプロトコルを使用して、変更するための手段とを有する。ゲートウェイは、好ましくは、第２電気通信ネットワークによってサポートされる固定形式メッセージと、インテリジェントネットワークによってサポートされるメッセージとの間の変換を実行するためのテーブル手段を有する。別の実施の形態においては、ゲートウェイは、インテリジェントネットワークのサービス制御点のサービスロジックにおいて、書込みオペレーションを実行するための手段と、サービスデータパラメータおよび／又はサービスロジックを変更するための手段とを有する。本システムにおける第２電気通信ネットワークは、好ましくは、例えば、ＩＰに基づくネットワーク又はデジタル携帯電話ネットワークである。
【００１４】
また、本発明は、インテリジェントネットワークのサービスパラメータを変更するための電気通信システムに関し、当該システムは、インテリジェントネットワーク、デジタル携帯電話ネットワーク、インテリジェントネットワークを前記携帯電話ネットワークに接続するための手段、および、前記携帯電話ネットワークに接続されるターミナル装置を有する。インテリジェントネットワークは、サービスデータ点を有する。本システムは、サービスパラメータを、テキストメッセージの形態で、ターミナル装置からゲートウェイに送信するための手段と、テキストメッセージを、ゲートウェイにおいて、インテリジェントネットワークのサービスパラメータの形態に変換し、インテリジェントネットワークの前記データ点に伝送するための手段とを有する。本システムは、好ましくは、インテリジェントネットワークの前記データ点からゲートウェイに肯定応答メッセージを返送する手段と、肯定応答メッセージをゲートウェイにおいてテキストメッセージの形態に変換し、当該テキストメッセージをターミナル装置に送信する手段とを有する。
【００１５】
本発明の好ましい実施の形態においては、ゲートウェイは、インテリジェントネットワークのデータ点において変更されるレコードを、発呼者番号、例えば、テキストメッセージ信号方式において伝送されるＡ−ナンバを使用し、識別するための手段を有する。別の実施の形態においては、本システムは、テキストメッセージの内容を使用し、レコードを識別するための手段を有する。本システムは、好ましくは、ターミナル装置からゲートウェイに、情報を、例えば、ショートメッセージの形態で、ＵＳＳＤ又はＷＡＰプロトコルを使用して伝送するための手段を有する。
【００１６】
本発明は、インテリジェントネットワークのサービスとユーザとの間のユーザインタフェースを、サービス制御点の既存のサービスデベロップメントプロパティ（development properties）を用いて実現することを可能にする。ユーザインタフェースは、トーン周波数信号を識別することによって、より柔軟に実現できる。ショートメッセージサービスを使用することによって、携帯電話加入者は、電気通信ネットワークを経由して連絡可能である場合はいかなる時でも、サービスを変更できる。また、本発明は、ＧＳＭネットワーク、例えば、有線の電話ネットワークのサービスロジック以外のネットワークにおいて、ＧＳＭ加入者とインテリジェントネットワークとの間の通信を可能とする。
【００１７】
次に、本発明は、添付図面を参照して説明される。
【００１８】
図１は、サービス制御点ＳＣＰとユーザのターミナル装置ＴＥとの間の信号方式を説明するための一例を示している。ゲートウェイＧＷは、サービス制御点ＳＣＰおよび第２電気通信ネットワーク１と接続するための手段を有する。第２電気通信ネットワーク１は、例えば、デジタル移動体通信ネットワーク又はインターネットである。サービス制御点ＳＣＰが、情報あるいは要求を、ターミナル装置ＴＥに送信する場合、それは、例えば、書込みメッセージを使用して、ゲートウェイＧＷに送られる。ゲートウェイＧＷが、例えば、テキストの形態での情報の伝送をサポートする場合、サービス制御点は、この種の情報自体を生成できる。この場合、ゲートウェイＧＷは、単に、この情報を、第２電気通信ネットワーク１のプロパティに一致している形態に変換するだけである。別の実施の形態においては、サービス制御点ＳＣＰは、適したインジケータ、例えば、番号を使用して、ゲートウェイＧＷにおけるリストを示し、送信されているメッセージの種類が何であるかを定義する。適用されるゲートウェイＧＷが、数値データ以外の形態での伝送をサポートしない場合、この手順は利点を提供する。ゲートウェイは、第２電気通信ネットワーク１を経由して、ターミナル装置ＴＥに情報ＤＡＴＡを送信する。
【００１９】
ユーザのターミナル装置ＴＥからサービス制御点ＳＣＰに情報ＤＡＴＡを伝送するために、ユーザは、ネットワーク特定のプロパティを適用する。例えば、ＧＳＭシステムにおいては、このようなプロパティは、ショートメッセージあるいはＵＳＳＤである。第２電気通信ネットワーク１は、この情報ＤＡＴＡを、ゲートウェイＧＷに送る。当該ゲートウェイは、これを、サービス制御点ＳＣＰによって理解されるデータベースインターフェースオペレーションに変更する。サービス制御点ＳＣＰが、数値情報以外の伝送をサポートしない場合、ゲートウェイＧＷに、固定形式メッセージをデータベースインターフェースオペレーションに変換するために使用するテーブルを、設けることが可能である。
【００２０】
図２は、本発明に係る信号方式の一例を示しており、インテリジェントネットワークのサービスパラメータは、デジタル携帯電話ネットワークのショートメッセージサービスを経由して、変更される。ユーザは、ショートメッセージをサービス番号に送信する。ショートメッセージは、サービスパラメータを変更するための固定形式情報を含んでいる。例えば、文字「Ｄ」は、インテリジェントネットワークのサービスパラメータを非活動化させることを意味し、文字「Ａ」は、活動化させることを意味する。オペレータのネットワークにおいては、ショートメッセージが伝送されると、ゲートウェイＧＷは、サービスデータ点ＳＤＰのデータベースにおいて、関連するデータを更新する。デジタル携帯電話ネットワークの加入者が送信したショートメッセージは、ＧＳＭ標準に従って、ショートメッセージサービスセンタＳＣに伝送される。ショートメッセージサービスセンタＳＣは、メッセージをＳＭＳ‐ＧＭＳＣに送信する。ＳＭＳ‐ＧＭＳＣは、加入者によって定義されるＢ‐ナンバに基づいて、ＨＬＲ問合せを実行する。ＨＬＲ（自局位置レジスタ（Home Location Register））は、例えば、加入者データ、加入者位置データ、コールコントロールデータ、ショートメッセージサービスおよび請求書発行データを含んでいる情報を有するＧＳＭシステムデータベースである。「Ｂ番号」は、ショートメッセージのレシーバを意味する。
【００２１】
この状況においては、加入者は、特定のゲートウェイＧＷを示すＢ−ナンバ値を選択している。ゲートウェイＧＷは、ＳＭＳ‐ＧＭＳＣによって送信されるショートメッセージを受信し、それに含まれるＡ−ナンバを検査し、インテリジェントネットワークのパラメータを変更する必要がある加入者を決定する。この情報を使用しかつショートメッセージの内容を分析することによって、ゲートウェイＧＷは、サービスデータ点ＳＤＰのデータベースにおいて、どのレコードを変更する必要があるのかを識別する。この後、ゲートウェイＧＷは、当該のサービスデータ点が理解する書込みオペレーションを実行する。次に、インテリジェントネットワークのサービスが活動中の場合、サービス制御点ＳＣＰは、サービスデータ点ＳＤＰにおけるユーザ定義のパラメータ値を検査できる。
【００２２】
図２は、ＧＳＭ  ＭＡＰプロトコルに従って実行される、ＳＭＳ‐ＧＭＳＣのＨＬＲとゲートウェイＧＷとの間のメッセージの交換を示している。ゲートウェイＧＷとサービス制御点ＳＣＰとの間において、使用されているデータベースインターフェースの書込みオペレーションは、適用される。図の最下部に示される２つのメッセージは、データベース書込みオペレーションが成功（図の場合）あるいは失敗であったかに関するオプショナル情報が、発呼者に対して与えられることになっている場合、適用される。
【００２３】
本発明の別の実施の形態においては、ゲートウェイＧＷは、自身のアドレスを使用し、ＭＡＰ−ＳＭ用送信経路指定情報（SendRoutingInfoForSM）問合せに、応答することも可能であり、この場合においては、ＳＭＳ‐ＧＭＳＣは、ショートメッセージをゲートウェイＧＷに送信する。その場合には、ＳＭＳ‐ＧＭＳＣはショートメッセージをゲートウェイＧＷに送信する。サービスに関連する全ての機能性は、現在のところ、同一のデータベースインターフェースに存する。
【００２４】
図３は、発明に係るシステムの略図である。ターミナル装置ＴＥは、第２電気通信ネットワークを経由し、ゲートウェイＧＷに接続している。ターミナル装置ＴＥは、サービスパラメータをテキストメッセージＳＭＳの形態で、ゲートウェイＧＷに送信するための手段１３を有する。テキストメッセージＳＭＳは、ショートメッセージ、例えば、ＵＳＳＤ又はＷＡＰプロトコルと整合するメッセージ、バイト指向（oriented）あるいはドキュメント指向のメッセージである。ゲートウェイＧＷは、インテリジェントネットワークＩＮに含まれるネットワーク構成要素、サービス制御点ＳＣＰおよびサービスデータ点ＳＤＰに接続している。
【００２５】
ゲートウェイＧＷは、第２電気通信ネットワーク１によってサポートされるプロトコルを使用することによって、インテリジェントネットワークのサービスデータパラメータおよび／又はサービスロジックを変更するための手段９，１４を有する。加えて、ゲートウェイＧＷは、第２電気通信ネットワークによってサポートされている固定形式メッセージと、インテリジェントネットワークによってサポートされているメッセージとの間の変換を実行するためのテーブル手段１０を有する。手段１１は、書込みオペレーションを実行するために使用され、手段１２は、サービス制御点ＳＣＰのサービスロジックおよび／又はサービスデータ点ＳＤＰにおいて、データを変更するために使用される。手段１５を使用することによって、サービスデータ点は、ゲートウェイＧＷに、肯定応答メッセージを返送する。ゲートウェイＧＷの有する手段１６は、肯定応答メッセージをテキストメッセージの形態にさらに変換し、それをターミナル装置ＴＥに送信する。手段１９は、ターミナル装置ＴＥとデータベースインターフェースとの間において、情報をショートメッセージの形態で送信し、手段２０は、ＵＳＳＤプロトコルを使用し、手段２１は、ＷＡＰプロトコルを使用する。サービスデータ点ＳＤＰにおいて、変更されるレコードを識別するために、ゲートウェイＧＷは、Ａ−ナンバによって識別するための手段１７と、テキストメッセージの内容によって識別するための手段１８とを使用する。
【００２６】
ゲートウェイＧＷの機能は、サービスデータ点ＳＤＰに類似する機能として、サービス制御点ＳＣＰによって、理解される。データベースインターフェースを経由して流れるデータは、単純な数値データであり、ゲートウェイＧＷによって、固定形式メッセージへ変換され、第２電気通信ネットワークに接続しているインターフェースに、適用される。ゲートウェイは、独立の装置あるいはサービス制御点ＳＣＰ又はサービスデータ点ＳＤＰの一部によって構成できる。本発明は、ＳＳ７あるいは他のプロトコルをサポートしている多数の各種システムにおいて、実現できる。
【００２７】
本発明は、上述の実施の形態の一例に制限されることはなく、しかし、多数の変形例が、特許請求の範囲によって定義される発明の思想の範囲内において、可能である。
【図面の簡単な説明】
【図１】  本発明に係る信号方式の一例を示している。
【図２】  別の実施の形態に係る信号方式の一例を示している。
【図３】  発明に係るシステムを示す略図を示している。
【図１】
0004008658.tif 000002
【図２】
0004008658.tif 000003
【図３】
0004008658.tif 000004